(57)【要約】【課題】  身軽で常に携帯でき、使い勝手よく安全に持ち運ぶことができ、釣り場の高低差を問わず、獲物を捕らえることのできる釣り用携帯釣上げ具を提供することである。【解決手段】  円形状の板２枚にパイプ形状の主軸１ｂを設け、リール本体１１になり、リール本体１１内部にロープ５、６を巻くように組み込み、リール本体１１の枠に鉤３を取り付け、鉤先とオモリ４がリール本体１１の内部と軸１ｂの内部に収納されるように取り付けることにより一体化され、携帯化が可能になり身軽で常に携帯でき、使い勝手よく安全に持ち運べるようになる。高い釣り場においては、ロープ５が長くなると鉤３のコントロールが困難になるので、鉤３の上部にロープ６を取り付け、移動金具８を取り付け、金具８の先端部に止め具９を設け、釣れている釣り糸に、止め具９を掛け、釣り糸に沿わしながら、ロープ５と鉤３を獲物のところに送り込むことにより容易に獲物を捕らえることができる。【選択図】図１
0003136046.tif 000002
【実用新案登録請求の範囲】
【請求項１】
軸を中心に複数取りついている鉤を使用している釣り用釣上げ具（釣れている獲物を捕らえる為の道具）において、軸を中心に複数取りついている鉤の軸を中心とする内径内に、ロープ、紐、ライン等の部材を巻くように組付け、一体化にした構造をもち、鉤の取り付け、取り外しができることを特長とする釣り用釣上げ具。
【請求項２】
前記、鉤をロープ、紐、ライン等と一体化した構造のものに、２枚の板の中心部に挟むようにパイプ形状の主軸を設けたものを本体にし、本体内部にロープ収納部を設け、本体内部に、ロープを巻きつけるように組み込み、ロープの先端に鉤を取り付け、本体の板の片側の外方向より、鉤先が本体内部に収納するように鉤を取り付け、取り外しできる機能を設け、本体の軸を中心に本体が回転し、本体内部のロープが、鉤とオモリ等の荷重により水面下に下りていく仕組みを設け、一体化にし、ポケット等に収納でき、常に携帯できることを特長とする釣り用釣上げ具。
【請求項３】
釣り用釣上げ具において、釣り糸に掛けることのできる部材及びスナップ類等をロープ、紐、ライン等に設け、釣り糸に掛け、鉤を釣り糸にぶら下げるようにし、釣り糸に沿わせて、ロープ、紐、ライン等を送り込みながら、水面下に下ろし、高い釣り場からでも獲物を捕らえることができることを特長とする釣り用釣上げ具。
【考案の詳細な説明】
【技術分野】
【０００１】  本考案は、イカ釣りなどで、使用される鉤方式の釣れている獲物を捕らえる為の釣り用釣上げ具に関するものである。
【背景技術】
【０００２】  釣り用釣上げ具には、釣った獲物を網ですくい、釣り上げる方式ものと、鉤で掛けて釣り上げる方式のものがある。イカ釣りにおいては、網方式の場合、持ち運んでいるとき、網の目に物が引っ掛かったり、釣り針に引っ掛けたりすることがあった。網の下には、棒状の振り出し竿が取り付いており、持ち運ぶとき、手で持ったり、肩に掛けたり、取り回しが悪く重さもあり疲れる欠点があった。このことで、釣上げ具を持っていても車の中に放置し、大物を逃がすこともある。鉤方式の場合は、鉤の下に棒状の振り出し竿が付いており、前記網方式と同様で、持ち運ぶとき、手で持ったり、肩に掛けたり、取り回しが悪く重さもあり疲れる欠点があった。鉤は、複数の針が広がった形状になっているので持ち運びのとき怪我をすることがある。また、鉤が折れケースに収納されているものもあるが、ケースより鉤が出るとき、勢いよく大きな鉤が開く仕組みになっているので、鉤先は鋭く怪我をすることがある。【０００３】  振り出し竿式の釣上げ具は、釣り場の足元より身近な獲物を捕らえようと、下を向けると勢いよく出るので、獲物を越してしまい身近な低い場所では使いにくいことがあった。釣り場には、高い場所もあり、振り出し竿式の釣上げ具では、長さに限界があるので、獲物に届かなく捕らえることができなかった。無理をして転落する危険がある。ロープ式のものもあるが、高い場所においては、ロープに腰が無いので水面まで長い距離になると、ロープはコントロールがしにくく、獲物を捕らえることが困難になる欠点があった。風のあるときは、ロープがあおられ、獲物をとらえることは難しい。ロープと鉤が一体化されておらず別の構造になっているので、持ち運びと収納がしにくかった。鉤は、ねじを回していくと広がっていくので準備に手間がかかり、使い勝手が悪い等の欠点があった。また、この手間が面倒くさく、鉤が広がったまま持ち運び、人に怪我を指す恐れがある。【０００４】  この釣上げ具の形状及び使用において、この欠点は、事故につながる恐れと、使用しにくい問題点がある。具体的には、取り回しが悪い。体力が消耗する。事故につながる。釣った獲物が捕らえられない。使い勝手が悪い。機能に不足がある。身軽でない。等の問題があった。【０００５】  この改善策として、鉤とロープを組み合わせ、機能を組み込み、携帯化にする方法がある。円形の板２枚の間にパイプ状の主軸を設け、ロープを巻ける形状にする。即ち、電線などを巻いているリールの様な形である。ロープを主軸に巻きつけ、片方の板の後方より、鉤の軸部にオモリが取り付いた物をロープの上に被るように取り付け、鉤が固定でき、簡単に外せるようにする。鉤先は、板と板の間に収納し、安全な構造にする。主軸のパイプの穴には、オモリのついている鉤の軸が収納される。この方法により、一体化することができ、携帯化が可能になり身軽になるので、事故も防げ、取り回しよく、鉤の出し入れの機能を加え使い勝手がよくなる。また、外径形状が丸いので、ポケットやバックのポケットに容易に出し入れができ、持ち運びのとき、重量も軽く体力の消耗を助ける。図２、図３、図４、図５に示す形状のものである。【０００６】  釣れている獲物を高い場所から捕らえるとき��ロープに、腰がないため、水面までの距離が長くなるにつれて、コントロールが困難になる。風の強いときは、ロープがあおられ獲物を捕ることが難しくなる。この改善策として、鉤とロープの間に狙う獲物により調整して、取り付ける調整ロープを設け、この調整ロープの間をロープに通して移動できる金具を取り付け、この金具の先に、釣れている釣り糸に掛けられる金具を設けた。図８に示すように釣り糸に金具を掛け、釣り糸に沿わして、ロープを送り込みながら、鉤を下ろしていく。鉤には、オモリが付いており、重みで下がりながら獲物のところに行く。釣り糸を引くことにより、移動する金具と獲物は、図９に示すように、ロープに取り付けている金具のところで止まる。ロープを引けば、移動する金具が下がり、獲物に掛かり、捕らえることができる。この方法により、風がある、無いにかかわらず、鉤が獲物のところに行くので、高い場所からでも簡単に獲物を捕らえることができる。獲物が勢いよく逃げようとしても、釣糸に掛かっている金具と釣り糸はフリーの状態にあるので、釣り糸に掛っている金具より釣り糸がすべりでていき、獲物を引き寄せることができるので、獲物はにげることはない。また、鉤の上には、鉤の位置がわかりやすいよう目印を設けている。ロープの色で見やすくしてもよい。【０００７】  リール状の本体の軸部には、鉤の軸部に取り付いているオモリと鉤の軸が収納されているが、図７で示すように、鉤をオモリの重みで水面に下ろすとき、この軸部の穴に親指と中指で挟むようにして持ち、手のひらを開くようにするとスムーズに下りていき、止めるときは、手を握るようにするとブレーキが効く仕組みになっている。鉤を下ろすスピードの調整は、手の握る調整で簡単にできる。指等の怪我をしないよう、各部には、面取りをしている。リール状の本体には、軽量を考え複数の穴を設けている。この穴は、使用後リール本体に、収納されたロープが乾くように、通風穴としても、使用している。これらの機能を組み込み、事故を防止し、安全を考え身軽で常に携帯でき、釣り場の高低差を問わず、獲物を捕らえることができ、快適に持ち運べ、使い勝手よく使用ができるように改善したものである。
【考案の開示】
【考案が解決しようとする課題】
【０００８】  解決しようとする問題点は、従来の釣り用釣上げ具においては、主に棒状の物が多く持ち運びするときは、手で持ったり、肩に掛けたりする。釣りをするときは、肩に掛けたり、下に置いたりするが、収納の収まりが悪い等、取り回しが悪く、使い勝手が悪かった。重みもあり、疲労もかさんだ。獲物を捕らえられる長さにも問題がある。短いと軽いが海面に近寄りすぎて波にさらわれる危険がある。長い物は高い釣り場では、長さに限界があり、獲物に届かず無理をして転落をする危険がある。高い釣り場では、ロープ式のものもあるが、水面までの距離が長くなるにつれて、ロープには、腰が無い為、コントロールが難しく獲物を捕らえるのが困難であった。風のあるときは、ロープがあおられ獲物を捕らえることは難しかった。鉤とロープは本体に収納されておらず、別構造になっているので、持ち運びのとき、使い勝手が悪かった。また、鉤は、使用後折り畳めるようになっているが、この方式には手間がかかり、面倒くさく、複数の鉤先が開いた上体で持ち歩き、人に怪我をさせてしまう恐れがあった。このような、問題点があり、安全面、使い勝手の面では改善の余地がある。【０００９】  上記の欠点を解決するには、欠点となるものを、改善し、安全で使い勝手よく、身軽で常に携帯でき、釣り場の高低差を問わず、獲物を捕らえることのできる釣上げ具を考案し、提供することである。
【課題を解決するための手段】
【００１０】  本考案は、解決する手段として、円形の板２枚の間に、主軸になるパイプを設け、リールのような形にした物を本体とし、リール本体の主軸にロープを巻き、鉤の軸にオモリを取り付けた物を、ロープの先端に取り付け、リール本体の片面後方より、鉤を挿入し、固定、取り外しが容易にできるように取り付ける。このとき、鉤の軸とオモリは、リール本体の主軸のパイプ状の穴に収納される。鉤先は、主軸に巻かれているロープの上に、被るように収納され、鉤先は、リール本体の溝の中に収納された安全な状態になる。円状に複数付いている鉤の内径内に軸を設けロープを巻くことで、ロープと鉤が、一体化することができる。この方法で携帯化が可能になり身軽になるので、事故も防げ、取り回しよく、安全で使い勝手よく持ち運べるようにしたのである。【００１１】    鉤の出し入れ、固定方法は、リール本体の外周枠に複数の鉤が巻くように取り付け、左右いずれかに回すと簡単に出し入れできる仕組みになっている。外周枠にくぼみを設け、鉤が嵌り固定するようにしている。また、このとき複数の鉤先は、リール本体の溝の中に収納された状態にあるので安全にできている。この方法により、簡単に鉤が固定され、外せるので安全で使い勝手のよいようにしたのである。【００１２】  リール本体に巻かれたロープと鉤の使用方法は、鉤の軸とオモリが収納された、リール本体の軸の穴を使用し、軸の穴に、親指と中指で挟むようにして、手を握り、鉤をぶら下げ、親指と中指を軸にして、手を緩めると、鉤がスムーズに水面に下りていき、手を握るとブレーキがかかる仕組みにしている。鉤を下ろすスピードの調整は、手を握り締める強弱で調整するようにしている。また、鉤の取り付け、本体の変形防止、脱落防止、握りやすく、するためリール本体の両側には、リング状のリブを設けている。獲物を捕らえるときは、鉤を下に下ろした状態で、獲物を掛け、捕らえることができる。獲物が釣れている状態でも、片手で簡単に、ひっかかりが無く、スムーズに、鉤を下ろす事ができ、使い勝手のよいようにしたのである。【００１３】  高い釣り場所においては、獲物が釣れている釣り糸に、掛けられる金具（スナップ等）を設け、ロープウエイのように、鉤のついた金具を釣り糸に沿わしながら、ロープを送り込んで行き、獲物のところにいく仕組みにしている。また、獲物を掛けて捕らえるときは、釣り糸に掛けられている金具は、移動式にしているので鉤は、鉤に取り付いたオモリの重みで獲物より下に行き、ロープを引けば、金具と獲物は下がり鉤に獲物が掛かる仕組みにしている。獲物が逃げようとすると、金具と釣り糸はフリーの状態にあるので、金具から釣り糸がすべりでていき、獲物を引き寄せる事ができるので獲物は、逃がさないしくみにしている。鉤の上には、鉤の位置がわかりやすいよう、目印のパイプを設け、見やすくして、捕らえる為の機能を設け、安心して使い勝手よく、高い釣り場からでも、確実に獲物を捕らえることができるようにしたのである。【００１４】  収納においても、機能を取り入れて一体化されたリール本体は、アール状から入りアール状から出るように円形のものを採用し、ポケットや身につけているバックのポケットに出し入れが容易にできるようにしている。使い勝手もよく、常に携帯することができる。
【考案の効果】
【００１５】  前述の様に、本考案の釣り用携帯釣上げ具は、リール本体の主軸にロープを巻きつけ、リール本体後方より、複数ついている鉤を被せるように取り付け、固定及び取り外しが容易にでき、鉤先は、リール本体の溝の内部に収納され、使用時は、片手で鉤をスムーズに水面まで下ろすことができ、釣り場の高低差を問わず、獲物を捕らえることのできる機能を設け、ロープと鉤を一体化にして、携帯化を可能にしたものであるから、身軽で常に携帯でき、安全に持ち運べ、釣り場の高低差を問わず、獲物を捕らえることができ、使い勝手よく、手間がかからずに、使用することができるという利点がある。【００１６】  前記リール本体は、円形の形状をしているので、ポケットや身につけているバックのポケットに、アール状から入り、アール状から出す事ができるので、取り回しよく収納の出し入れも容易にできる。また、リール本体には、数箇所の通風穴を設け、使用後のロープを乾かす役目と、軽量を考えているので釣り人の疲れも還元される。
【考案を実施するための最良の形態】
【００１７】  釣り用釣上げ具の安全面、機能面、使い勝手の面を可能な限り、凝縮させ、身につけられるようにして、携帯化をはかり、高い釣り場所からでも、獲物を捕らえることのできる機能を組み込み、身軽で常に携帯でき、安全に持ち運ぶことができ、使い勝手よく、手間がかからずに、使用できるものを実現した。
【実施例】
【００１８】  以下、添付図面の図番１〜９及び符号に基づき、この携帯釣上げ具の実施形態を説明する。図１は、実施形態の携帯釣上げ具のリール本体１１より鉤３、４を引き出し、各部の形態を示す。この携帯釣上げ具は、１、１ａ、１ｂ、２ｂ、２、２ａを組付けた物が、リール本体１１になり、リール本体１１主軸部１ｂ、２ｂに、図３に示すロープ５を巻き付け、巻かれたロープ５の上に図４の後面２、２ａより鉤３が取り付き、主軸部２ｂには収納穴を設け鉤３に取り付いたオモリ４と鉤３に取り付けられたロープ５とパイプ１０の一部が収納する。安全に使用できるように、鉤３は湾曲しており鉤３の先がリール本体１１内部の下向きに取り付き収納する。リール本体１１後板２にはストッパー部２ｅを設け、鉤３を固定し、安全に持ち運べる。また、前記で述べた主軸部２ｂ穴にオモリ４を収納し、主軸部１ｂ、２ｂに巻き付けたロープ５の上に鉤３を取り付け、一体化することにより機能を組み込み携帯化を可能とし、ポケット及び小型バックの中や、バックのポケット等に収納できる。即ち、軽装及び身軽で常に携帯でき持ち運べ、釣り場の高低差を問わず獲物を捕らえるようにしたものである。上記は、図２、図３、図４の形状で持ち運びの際の状態のものである。【００１９】  図５は、鉤３を使用時に出し入れする時の状態を示す。使用時に鉤３の出し入れする方法は、本体後板２にリング２ａを取り付け，本体後板２に鉤用溝２ｃを設け、本体後板２の主軸部後２ｂにオモリ４収納穴を設け、鉤３を本体後板２方向から鉤３先がリング２ａの外側を通り、鉤用溝２ｃに挿入する。鉤３先はリール本体１１内の主軸部１ｂ、２ｂに巻かれたロープ５の上に鉤３の先が挿入される。鉤３先は、前記で述べたように安全を考え斜め下側を向いた状態になる。この時、オモリ４は主軸部１ｂ、２ｂの内部に収納されている。本体後板２に取り付いたリング２ａ外側は、鉤３を鉤用溝２ｃに挿入する際に鉤３のバランスを失わず、挿入位置を明確にする役目をしている。また、オモリ４が挿入される時に主軸部２ｂの穴の内径にオモリ４があたる。このことにより、主軸部２ｂの穴の内径で移動距離が決まるので、鉤３先がリール本体１１内部の主軸部１ｂ、２ｂに巻かれたロープ５と鉤３先に間隔ができ、接触しないので、ロープ５に支障を与える事無く挿入できる。【００２０】  前記、鉤３がリール本体１１に挿入された状態から鉤を固定及び取り外しする方法は、図５に示す鉤３及びオモリ４が本体後板２に挿入された状態から、鉤３が本体後板２の外周上に乗るように左右いずれかの方向に回し、本体後板２に設けているストッパー部２ｅの位置まで回し、ストッパー部２ｅに鉤３が嵌ることにより、鉤３が固定される。固定された鉤３を取り外して、使用する場合も同様で、固定されている鉤３を左右いずれかの方向にまわして鉤３を挿入した図５に示す状態から取り外すことができる。【００２１】  固定及び取外しの際に鉤３が滑らかに動き固定され適度な締め付けがあり、固定された鉤３が滑らかに動き外れる。この動作は、鉤３の湾曲している部分に生じる伸び縮みの遊び部を取り入れている。例えば、釣り針を指で持ち湾曲を広げようとすれば、戻ろうとする力の伸び縮の遊び部である。即ち���動きはバネのような働きをしている。リール本体１１に取り付いた鉤３は、適度に締め付け、滑らかな動きである。また、本体後板２の外径を鉤３内面の円周よりも大きくすることで鉤３が開き、締めようとする力が働くので、鉤３先が出入りする鉤用溝２ｃの溝上にアールを設け、鉤３を回した時に滑らかに本体後板２の外周に鉤３が乗るようにして締め付けている。このとき、鉤３の湾曲は、下向きに取り付いているので、鉤３の湾曲部が本体後板２の内側に掛かるようになっていて、鉤３はリール本体１１に固定されて入るときは外れないようにできている。鉤３の固定は、本体後板２と本体後板２に取り付いたリング後２ａと本体後板２の主軸部後２ｂ間で鉤３の湾曲の形状を利用して取り付いている。【００２２】  図７は、この携帯釣上げ具の使用時の状態を示す。この携帯釣り上げ具の鉤３を下ろすときは、リール本体１１よりオモリ４付鉤３を前記で説明した取り外し方法で取り外し、リール本体１１よりぶら下げる。携帯釣上げ具の使用時の持ち方は、リール本体の主軸前１ｂと主軸部後２ｂのオモリ４を収納していた穴に親指と中指で挟むようにして持つ。このとき、握り締めるとブレーキのかかった状態になり、握り締めているのを緩めるとリール本体が回転し、スムーズに鉤３が下がる。従って下がるスピードの調整及びブレーキは、手で握る力の調整による。リール本体１１にリング前１ａとリング後２ａが取り付き、握りやすく調整のしやすい形状にしている。また、このリング１ａ、２ａは、本体前板１と本体後板２が、変形しにくいようリブの役目もしている。【００２３】  リール本体１１より引き出されたロープ５の先端には金具部材７がロープ５に固定５ａされ、さらに調整ロープ６が固定６ａされ取り付く、調整ロープ６には、移動止め具８が取り付き、目印パイプ１０が取り付く、調整ロープ６に鉤３とオモリ４が固定６ｂされ取り付いている。調整ロープ６は、狙う獲物の大きさにより長さを調整する部分であり、止め具９が使用時移動し、止まる部分でもある。この調整ロープ６の部分と、鉤３と、鉤の軸に取り付いているオモリ４を水面に下ろし、釣れている獲物を鉤３に掛け捕らえることができる。【００２４】  前記の釣れている獲物を捕らえる方法でもよいが、釣り場での高場においては、釣り場の足元より水面まで距離があるので、ロープ５が風の影響をうけることもあり、ロープ５が長すぎてコントロールしにくいので、図８に示す、止め具９を釣れている獲物とやりとりしている相手物釣り糸ａに掛け、ロープ５を送りながら鉤３を下ろし獲物を捕らえる。例えば、ロープウエイのような感じである。このとき水面下まで距離があり獲物を捕らえるとき、鉤３の位置がわかりにくいので、鉤３に取り付いているオモリ４の上に見やすい色の目印パイプ１０を調整ロープ６に通し、設けている。また、止め具９は、金具部材８に取り付いている物である。止め具９は、掛けやすいスナップ等でよい。【００２５】  図９は、この釣り用携帯釣上げ具で使用時に釣れている相手物獲物ｂを捕らえるイメージ及び捕らえ方を説明するものである。前記で述べた止め具９を相手物釣り糸ａに掛け、鉤３を水面にいる相手物獲物ｂの方向に下ろす。鉤３の付いた止め具９は、相手��釣り糸ａに沿い相手物獲物ｂのところに行く。相手物獲物ｂが逃げようとすれば、止め具９から相手物釣り糸ａがすべるようにでていくので相手物獲物ｂを逃がす事がない。止め具９と相手物釣り糸ａが、ついているので相手物釣り糸ａを手繰り寄せれば自然と鉤３のところに相手物獲物ｂがくる仕組みになっている。【００２６】  金具部材８は調整ロープ６に通っていて金具部材７の調整ロープ６の固定部６ｂで止まる。このとき、ロープ５、６が、垂直になったとき、鉤３は、相手物獲物ｂの真下にくるので、ロープ５を上にあげるように引けば、金具部材８が調整ロープ６の下にさがり、同時に相手物獲物ｂを鉤３に掛けることができ、相手物獲物ｂを捕らえることができる。【００２７】  ロープ５を引き上げ、捕らえた相手物獲物ｂを釣上げることができる。相手物獲物ｂの引き上げ方法は、リール本体１１に取り付いているリング前１ａとリング後２ａをリール本体の上部より、両手で握るように持ち、リール本体を回しながらロープ５を巻き取る方法と両手でロープ５を引き上げる方法がある。ロープ５を両手で引き上げる方法の場合は、リール本体１１を足元に置くのもよいが、この釣り用釣上げ具は、ポケットや身につけているバックのポケットなどに入れるので、リール本体１１をポケットに入れるとよい。破損したり、キズをつけたりする事無く、使用することができる。【００２８】  使用後は、釣上げた相手物獲物ｂより鉤３及び止め具９より相手物釣り糸ａを外し、リール本体１１にロープ５、金具部材７、８、止め具９、パイプ１０、ひも６、オモリ４、鉤３を収納するときは、リール本体に取り付いたリング前１ａの外周を片手で外側から本体前板１の方向に指全体でもち、リール本体１１ロープ５巻き部にロープ５及び各部材を順番に巻きつけ、リール本体１１に、鉤３とオモリ４を収納固定する。収納時、リール本体１１のリング前１ａを持つとき、本体前板１に指があたり、リール本体１１に鉤３を挿入する際、本体前板１が壁になり、鉤３先が指にあたらないので、安全に収納することができる。【００２９】  使用後、リール本体に、巻きつけられたロープ５、６及び各部材は濡れているので、リール本体１１の本体前板１に通風穴前１ｃと、本体後板２に通風穴後２ｄを設け、風が通るようにして、ロープ５、６及び各部材が乾燥するようになっている。この通風穴は、軽量化の役目もしている。ロープ５、６に取り付いた金具部材７は、ロープ５のよれがとれるので、釣用のスイベルがよい。また、各機能が収納されたリール本体の外径形状は、丸い形をしているので、引っ掛かりが無くアール状から入りアール状から出るので使用時、ポッケットやバックのポケット等の出し入れが容易にできる。
【図面の簡単な説明】
【００３０】
【図１】釣り用携帯釣上げ具の鉤を引き出した状態を示す正面図
【図２】図１の携帯釣上げ具の鉤を収納し、持ち運びの際の状態を示す正面図
【図３】図２の鉤及び、ロープを収納した状態を説明する側面図
【図４】図２の携帯釣上げ具の鉤の収納及び固定を説明する後面図
【図５】図４の鉤の出し入れの方法を説明する後面図
【図６】図４の鉤の固定部を説明する詳細図
【図７】携帯釣上げ具の使用方法を説明する後面図
【図８】携帯釣上げ具で高場からの使用方法を説明する側面図
【図９】図８の携帯釣上げ具で獲物を捕らえる説明図
【符号の説明】
【００３１】  １    本体前板
１ａ  リング前
１ｂ  主軸部前
１ｃ  通風穴前
２    本体後板
２ａ  リング後
２ｂ  主軸部後
２ｃ  鉤用溝
２ｄ  通風穴後
２ｅ  ストッパー部
３    鉤
４    オモリ
５    ロープ
５ａ  固定部
６    調整ロープ
６ａ  固定部
６ｂ  固定部
７    金具部材
８    金具部材
９    止め具
１０    パイプ
１１    リール本体
ａ    相手物釣り糸
ｂ    相手物獲物
【図１】
0003136046.tif 000003
【図２】
0003136046.tif 000004
【図３】
0003136046.tif 000005
【図４】
0003136046.tif 000006
【図５】
0003136046.tif 000007
【図６】
0003136046.tif 000008
【図７】
0003136046.tif 000009
【図８】
0003136046.tif 000010
【図９】
0003136046.tif 000011